【手続補正書】
【提出日】平成23年10月20日(2011.10.20)
【手続補正１】
【補正対象書類名】特許請求の範囲
【補正対象項目名】全文
【補正方法】変更
【補正の内容】
【特許請求の範囲】
【請求項１】
通信ネットワーク上でデータパケットを送信する第１のネットワークデバイスによって実行される方法であって、
サービスを識別するための機能インジケータを生成することと、
前記サービスのインスタンスを識別するためのインスタンスインジケータを生成することと、
第２のネットワークデバイスで実行する前記サービスを識別するための前記機能インジケータと、前記サービスのインスタンスを識別するための前記インスタンスインジケータとを備え、前記サービスを実行する前記第１のネットワークデバイスに関する位置情報を与える直接アドレス指定可能な送信先アドレスを生成することと、
前記第１のネットワークデバイスで前記送信先アドレスを前記データパケットのヘッダに挿入することと、
前記第１のネットワークデバイスから前記第２のネットワークデバイスの前記生成された送信先アドレスに前記データパケットを送信することと、を備える方法。
【請求項２】
前記データパケットに関連付けられているサービスを決定することと、
前記サービスに基づいて前記機能インジケータを生成することと、を更に備える、請求項１に記載の方法。
【請求項３】
前記データパケットに関連付けられている送信元アドレスを決定することと、
前記送信元アドレスの少なくとも選択された部分に基づいて前記インスタンスインジケータを生成することと、を更に備える、請求項１に記載の方法。
【請求項４】
前記インスタンスインジケータを生成することは、前記データパケット内のデータの少なくとも一部についてハッシュを実行することによって前記インスタンスインジケータを生成することを備える、請求項１に記載の方法。
【請求項５】
前記インスタンスインジケータを生成する方法を動的に選択することを更に備える、請求項１に記載の方法。
【請求項６】
前記データパケットを前記送信先アドレスに送信することは、前記識別されたサービスの前記識別されたインスタンスをホストする前記第２のネットワークデバイスに前記データパケットを転送することを備える、請求項１に記載の方法。
【請求項７】
前記直接アドレス指定可能な送信先アドレスを生成することは、前記機能インジケータと前記インスタンスインジケータとをプレフィックスに連結することを備える、請求項１に記載の方法。
【請求項８】
前記送信先アドレスはメディア・アクセス・コントロール（ＭＡＣ）アドレスを備える、請求項１に記載の方法。
【請求項９】
前記送信先アドレスはインターネットプロトコル（ＩＰ）アドレスを備える、請求項１に記載の方法。
【請求項１０】
通信ネットワーク上でデータパケットを送信するためのデバイスであって、
アプリケーションモジュールと、
前記アプリケーションモジュールを実行し、
ネットワークデバイスで実行するサービスを識別するための機能インジケータ、および、前記ネットワークデバイスで実行する前記サービスのインスタンスを識別するためのインスタンスインジケータを備えた直接アドレス指定可能な送信先アドレスを生成することと、
前記送信先アドレスをデータパケットのヘッダに挿入することと、
前記送信先アドレスに前記データパケットを送信することと、
を行なわせるコントローラと、を備えるデバイス。
【請求項１１】
前記コントローラは更に、前記データパケットに関連付けられているサービスを決定し、前記サービスに基づいて前記機能インジケータを生成するように構成される、請求項１０に記載のデバイス。
【請求項１２】
前記コントローラは更に、前記データパケットに関連付けられている送信元アドレスを決定し、前記送信元アドレスの少なくとも選択された部分に基づいて前記インスタンスインジケータを生成するように構成される、請求項１０に記載のデバイス。
【請求項１３】
前記コントローラは更に、前記インスタンスインジケータを生成するために前記データパケット内のデータの少なくとも一部についてハッシュを実行するように構成される、請求項１０に記載のデバイス。
【請求項１４】
前記コントローラは更に、前記インスタンスインジケータを生成する方法を動的に選択し、前記選択された方法を使用して前記インスタンスインジケータを生成するように構成される、請求項１０に記載のデバイス。
【請求項１５】
前記コントローラは更に、前記送信先アドレスに基づいて前記識別されたサービスインスタンスをホストする前記ネットワークデバイスに前記データパケットを転送するように構成される、請求項１０に記載のデバイス。
【請求項１６】
前記直接アドレス指定可能な送信先アドレスは、メディア・アクセス・コントロール（ＭＡＣ）アドレスの一部と前記機能インジケータと前記インスタンスインジケータとを備える、請求項１０に記載のデバイス。
【請求項１７】
前記送信先アドレスは、メディア・アクセス・コントロール（ＭＡＣ）アドレスを備える、請求項１０に記載のデバイス。
【請求項１８】
前記送信先アドレスは、インターネットプロトコル（ＩＰ）アドレスを備える、請求項１０に記載のデバイス。
【請求項１９】
通信ネットワーク上で第２のネットワークデバイスにデータパケットを送信する第１のネットワークデバイスによって実行される方法であって、
前記第１のネットワークデバイスで、１つのアドレス空間を複数のアドレス部分空間に分割することと、
前記第１のネットワークデバイスで、各アドレス部分空間をサービスに関連付けることと、
前記第１のネットワークデバイスで、各送信先アドレスが前記アドレス部分空間に対応する前記サービスを識別するための機能インジケータと前記サービスのインスタンスを識別するためのインスタンスインジケータとを備えるそれぞれ１つの直接アドレス指定可能な送信先アドレスを各アドレス部分空間内に割り当てることと、
前記第１のネットワークデバイスのアプリケーションで、前記第２のネットワークデバイスの任意のサービスについての割り当てられた直接アドレス指定可能な送信先アドレスを伝送するためのデータパケットを生成することと、
前記データパケットを、前記第２のネットワークデバイスの前記任意のサービスについての前記割り当てられた直接アドレス指定可能な送信先アドレスを送信することと、を備える方法。
【請求項２０】
各アドレス部分空間をそれぞれ１つのサービスに関連付けることは各アドレス部分空間をそれぞれ１つのサービスに割り当てることを備える、請求項１９に記載の方法。
【請求項２１】
各アドレス部分空間をそれぞれ１つのサービスに関連付けることはそれぞれ１つのサービスを各アドレス部分空間に割り当てることを備える、請求項１９に記載の方法。
【請求項２２】
１つのアドレス空間を複数のアドレス部分空間に分割することは、前記通信ネットワークに利用可能な１つ以上のサービスに基づいてインターネットプロトコル（ＩＰ）アドレス空間の一部を分割することを備える、請求項１９に記載の方法。
【請求項２３】
１つのアドレス空間を複数のアドレス部分空間に分割することは、前記通信ネットワークに利用可能な１つ以上のサービスに基づいてメディア・アクセス・コントロール（ＭＡＣ）アドレス空間の一部を分割することを備える、請求項１９に記載の方法。
【請求項２４】
前記サービスに基づいて前記機能インジケータを生成することを更に備える、請求項１９に記載の方法。
【請求項２５】
前記通信ネットワーク上の１つ以上のネットワークデバイスに関連付けられている送信元アドレスの少なくとも選択された部分に基づいて前記インスタンスインジケータを生成することを更に備える、請求項１９に記載の方法。